【事件の表示】
　特願２０１６−５０３１４５「剛結合された画像センサ及び内視鏡の機械的画像回転」拒絶査定不服審判事件〔平成２６年　９月１８日国際公開、ＷＯ２０１４／１４４９５５、平成２８年　６月３０日国内公表、特表２０１６−５１８８８０、請求項の数（１６）〕について、次のとおり審決する。
【結　論】
　原査定を取り消す。
　本願の発明は、特許すべきものとする。
【理　由】
第１　手続の経緯
　本願は、２０１４年（平成２６年）３月１４日（パリ条約による優先権主張　２０１３年３月１５日　 米国）を国際出願日とする出願であって、平成２９年１２月１２日付けで拒絶理由が通知され、平成３０年３月１６日付けで意見書及び手続補正書が提出され、同年５月２８日付けで拒絶理由が通知され、同年９月４日付けで意見書及び手続補正書が提出され、同年９月２６日付けで拒絶査定（以下「原査定」という。）されたところ、平成３１年１月２９日に拒絶査定不服審判の請求がなされ、同時に手続補正がなされたものである。
第２　原査定の概要
　原査定の拒絶の理由は、この出願の審判請求時の補正前の請求項１〜１８に係る発明は、本願の優先権主張の日前に頒布された又は電気通信回線を通じて公衆に利用可能となった下記の引用文献１に記載された発明及び引用文献２〜４に記載された事項に基づいて、その出願前にその発明の属する技術の分野における通常の知識を有する者が容易に発明をすることができたものであるから、特許法２９条２項の規定により特許を受けることができない、というものである。
引用文献１：米国特許第０５６２１８３０号明細書
引用文献２：特開平０３−２４２５４８号公報
引用文献３：米国特許出願公開第２００６／００５８５８１号明細書
引用文献４：国際公開第２０１３／００７３５６号（周知技術を示す文献）
第３　審判請求時の補正について
　審判請求時の補正は、特許法第１７条の２第３項から第６項までの要件に違反しているものとはいえない。
　審判請求時の補正によって請求項１及び９に「前記内視鏡デバイスが、前記外側管腔と機械的に連絡しており、前記内視鏡デバイスの前記先端に位置し、前記外側管腔の最遠位端に連結された外側窓を更に備え、前記外側窓が前記内側管腔及び前記画像センサに対して回転し、前記プリズム及び前記遠位側レンズの遠位面は、前記内視鏡デバイスの前記軸に対して所定角度をもって延在し、前記外側窓の遠位面は、前記プリズム及び前記遠位側レンズの前記遠位面が延在する前記所定角度と略同一の角度をもって延在しており、前記内視鏡デバイスの前記軸と垂直方向における前記外側窓の長さは、前記内視鏡デバイスの前記軸と前記垂直方向における前記プリズム及び前記遠位側レンズの長さよりも大きい」という事項を追加する補正は、「前記内視鏡デバイス」の「前記外側管腔の最遠位端」の構成を限定するものであるから、特許請求の範囲の減縮を目的とするものである。
　また、請求項１及び９に追加する「前記内視鏡デバイスが、前記外側管腔と機械的に連絡しており、前記内視鏡デバイスの前記先端に位置し、前記外側管腔の最遠位端に連結された外側窓を更に備え、前記外側窓が前記内側管腔及び前記画像センサに対して回転し、前記プリズム及び前記遠位側レンズの遠位面は、前記内視鏡デバイスの前記軸に対して所定角度をもって延在し、前記外側窓の遠位面は、前記プリズム及び前記遠位側レンズの前記遠位面が延在する前記所定角度と略同一の角度をもって延在しており、前記内視鏡デバイスの前記軸と垂直方向における前記外側窓の長さは、前記内視鏡デバイスの前記軸と前記垂直方向における前記プリズム及び前記遠位側レンズの長さよりも大きい」という事項は、当初明細書の段落【００２１】及び図３に記載されているから、当該補正は新規事項を追加するものでない。
　そして、「第４　本願発明」から「第６　対比・判断」までに示すように、補正後の請求項１〜１６に係る発明は、独立特許要件を満たすものである。
第４　本願発明
　本願請求項１〜１６に係る発明（以下、それぞれ「本願発明１」〜「本願発明１６」という。）は、平成３１年１月２９日付けの手続補正で補正された特許請求の範囲の請求項１〜１６に記載された事項により特定される発明であり、以下のとおりの発明である。（下線は、補正箇所を示す。）
「　　【請求項１】
　内視鏡デバイスであって、
　近位側部分、及び先端を備える遠位側部分と、
　前記内視鏡デバイスの前記先端付近で前記遠位側部分内に位置する、あるエリアの視覚化を提供する画像センサと、
　内側管腔と、
　外側管腔と、
　ハンドピースと、を備え、
　前記画像センサ及び前記内側管腔が前記ハンドピースに対して固定され、前記外側管腔が前記内視鏡デバイスの軸を中心にして、かつ前記画像センサ及び前記内側管腔に対して回転可能であり、
　前記内視鏡デバイスが、前記内視鏡デバイスの前記先端付近に位置するプリズム及び遠位側レンズを更に備え、視角を変化させる際に画像の配向が一定のままであるように、前記プリズム及び前記遠位側レンズが、前記外側管腔に固定されると共に、前記内側管腔及び前記画像センサに対して回転可能であり、
　前記内視鏡デバイスが、前記プリズム及び前記遠位側レンズを前記内視鏡デバイスの前記先端内で位置合わせするためのガイドを備える遠位側レンズホルダを更に備え、前記遠位側レンズホルダが、前記外側管腔に固定されると共に、前記内側管腔及び前記画像センサに対して回転可能であり、
　前記内視鏡デバイスが、近位側レンズ、及び、近位側レンズホルダを更に備え、前記近位側レンズホルダが、前記近位側レンズホルダの遠位端に形成される内側ガイド壁と、前記近位側レンズホルダの近位端に形成される外側ガイド壁とを備え、前記近位側レンズホルダが、前記近位側レンズを前記遠位側レンズに対して位置合わせするためのハウジング及びガイドとして作用し、前記近位側レンズホルダが、前記内側管腔に固定されると共に、前記外側管腔を回転させる際に前記外側管腔に対して相対的に回転し、
　前記遠位側レンズホルダが前記近位側レンズホルダに対して回転可能であるように、前記近位側レンズホルダの前記内側ガイド壁が、前記遠位側レンズホルダの前記ガイドを係合し、前記近位側レンズホルダの前記内側ガイド壁の外径は、前記近位側レンズホルダの前記外側ガイド壁の外径よりも小さく、前記近位側レンズホルダの前記内側ガイド壁の外周面に前記遠位側レンズホルダの近位端の内周面が嵌っており、前記近位側レンズホルダおよび前記遠位側レンズホルダは前記外側管腔内に挿入されており、
　前記外側管腔が前記ハンドピースと機械的に連絡しており、前記外側管腔が前記ハンドピースとの接合部でばね荷重されて、前記遠位側レンズホルダと前記近位側レンズホルダとの間に一貫した接触を提供することによって、前記近位側レンズ及び前記遠位側レンズ内で一貫した軸方向距離を確保すると共に、前記外側管腔が回転している間の焦点を保持
し、
　前記内視鏡デバイスが、前記外側管腔と機械的に連絡しており、前記内視鏡デバイスの前記先端に位置し、前記外側管腔の最遠位端に連結された外側窓を更に備え、前記外側窓が前記内側管腔及び前記画像センサに対して回転し、
　前記プリズム及び前記遠位側レンズの遠位面は、前記内視鏡デバイスの前記軸に対して所定角度をもって延在し、前記外側窓の遠位面は、前記プリズム及び前記遠位側レンズの前記遠位面が延在する前記所定角度と略同一の角度をもって延在しており、
　前記内視鏡デバイスの前記軸と垂直方向における前記外側窓の長さは、前記内視鏡デバイスの前記軸と前記垂直方向における前記プリズム及び前記遠位側レンズの長さよりも大きい、
　　【請求項２】
　前記内視鏡デバイスが、前記内側管腔と前記外側管腔との間に形成されるチャネルを更に備え、前記チャネルが光源を提供する光ファイバーを収容し、前記光ファイバーが、前記外側管腔に固定されると共に、前記内側管腔及び前記画像センサに対して回転可能である、請求項１に記載の内視鏡デバイス。
　　【請求項３】
　前記内視鏡デバイスが、前記内側管腔と前記外側管腔との間に形成されるチャネルを更に備え、前記チャネルが光源を提供する光ファイバーを収容し、前記外側管腔が前記内側管腔及び前記光ファイバーに対して回転可能であるように、前記光ファイバーが前記内側管腔に固定される、請求項１に記載の内視鏡デバイス。
　　【請求項４】
　前記遠位側レンズが前記内視鏡デバイスの前記先端付近に位置し、前記近位側レンズが前記遠位側レンズに対して近位側に位置し、前記近位側レンズが、前記外側管腔を回転させる際に前記外側管腔に対して相対的に回転するように、前記内側管腔に固定される、請求項１に記載の内視鏡デバイス。
　　【請求項５】
　前記内視鏡デバイスが、前記外側管腔と前記内側管腔との間に形成され、それによって前記外側管腔と前記内側管腔との間の摩擦を低減する摩擦低減層を更に備え、摩擦が低減されることによって前記外側管腔が前記内側管腔に対して回転できるようにする、請求項１に記載の内視鏡デバイス。
　　【請求項６】
　前記内視鏡デバイスが、前記内側管腔に固定されると共に前記内側管腔内に位置する電気通信ハーネスを更に備え、前記電気通信ハーネスが前記画像センサに電気的に接続され、それによって前記画像センサに電力を提供し、前記電気通信ハーネスが前記外側管腔に対して回転可能である、請求項１に記載の内視鏡デバイス。
　　【請求項７】
　前記内視鏡デバイスが、前記ハンドピースが焦点機構を備え、前記内側管腔が、焦点調節を可能にするため、前記ハンドピース内で前記焦点機構を介して軸方向で移動可能であり、前記焦点機構が、前記近位側レンズと前記遠位側レンズとの間の前記軸方向距離を制御し、前記焦点機構が前記内側管腔を前記軸方向でのみ動かし、回転は許可しない、請求項４に記載の内視鏡デバイス。
　　【請求項８】
　前記内視鏡デバイスの前記外側管腔、前記遠位側レンズ、及び前記プリズムの回転によって、歪みのない広角視野の効果を作り出す、請求項１に記載の内視鏡デバイス。
　　【請求項９】
　内視鏡システムであって、
　ハンドピースと、
　制御部と、
　内視鏡デバイスであって、
　　近位側部分、及び先端を備える遠位側部分と、
　　前記内視鏡デバイスの前記先端付近で前記遠位側部分内に位置する、あるエリアの視覚化を提供する画像センサと、
　　内側管腔と、
　　外側管腔と、を備える、内視鏡デバイスと、を備え、
　前記画像センサ及び前記内側管腔が前記ハンドピースに対して固定され、前記外側管腔が前記内視鏡デバイスの軸を中心にして、かつ前記画像センサ及び前記内側管腔に対して回転可能であり、
　前記内視鏡デバイスが、前記内視鏡デバイスの前記先端付近に位置するプリズム及び遠位側レンズを更に備え、視角を変化させる際に画像の配向が一定のままであるように、前記プリズム及び前記遠位側レンズが、前記外側管腔に固定されると共に、前記内側管腔及び前記画像センサに対して回転可能であり、
　前記内視鏡デバイスが、前記プリズム及び前記遠位側レンズを前記内視鏡デバイスの前記先端内で位置合わせするためのガイドを備える遠位側レンズホルダを更に備え、前記遠位側レンズホルダが、前記外側管腔に固定されると共に、前記内側管腔及び前記画像センサに対して回転可能であり、
　前記内視鏡デバイスが、近位側レンズ、及び、近位側レンズホルダを更に備え、前記近位側レンズホルダが、前記近位側レンズホルダの遠位端に形成される内側ガイド壁と、前記近位側レンズホルダの近位端に形成される外側ガイド壁とを備え、前記近位側レンズホルダが、前記近位側レンズを前記遠位側レンズに対して位置合わせするためのハウジング及びガイドとして作用し、前記近位側レンズホルダが、前記内側管腔に固定されると共に、前記外側管腔を回転させる際に前記外側管腔に対して相対的に回転し、
　前記遠位側レンズホルダが前記近位側レンズホルダに対して回転可能であるように、前記近位側レンズホルダの前記内側ガイド壁が、前記遠位側レンズホルダの前記ガイドを係合し、前記近位側レンズホルダの前記内側ガイド壁の外径は、前記近位側レンズホルダの前記外側ガイド壁の外径よりも小さく、前記近位側レンズホルダの前記内側ガイド壁の外周面に前記遠位側レンズホルダの近位端の内周面が嵌っており、前記近位側レンズホルダおよび前記遠位側レンズホルダは前記外側管腔内に挿入されており、
　前記外側管腔が前記ハンドピースと機械的に連絡しており、前記外側管腔が前記ハンドピースとの接合部でばね荷重されて、前記遠位側レンズホルダと前記近位側レンズホルダとの間に一貫した接触を提供することによって、前記近位側レンズ及び前記遠位側レンズ内で一貫した軸方向距離を確保すると共に、前記外側管腔が回転している間の焦点を保持
し、
　前記内視鏡デバイスが、前記外側管腔と機械的に連絡しており、前記内視鏡デバイスの前記先端に位置し、前記外側管腔の最遠位端に連結された外側窓を更に備え、前記外側窓が前記内側管腔及び前記画像センサに対して回転し、
　前記プリズム及び前記遠位側レンズの遠位面は、前記内視鏡デバイスの前記軸に対して所定角度をもって延在し、前記外側窓の遠位面は、前記プリズム及び前記遠位側レンズの前記遠位面が延在する前記所定角度と略同一の角度をもって延在しており、
　前記内視鏡デバイスの前記軸と垂直方向における前記外側窓の長さは、前記内視鏡デバイスの前記軸と前記垂直方向における前記プリズム及び前記遠位側レンズの長さよりも大きい、
　　【請求項１０】
　前記内視鏡デバイスが、前記内側管腔と前記外側管腔との間に形成されるチャネルを更に備え、前記チャネルが光源を提供する光ファイバーを収容し、前記光ファイバーが、前記外側管腔に固定されると共に、前記内側管腔及び前記画像センサに対して回転可能である、請求項
９
　　【請求項１１】
　前記内視鏡デバイスが、前記内側管腔と前記外側管腔との間に形成されるチャネルを更に備え、前記チャネルが光源を提供する光ファイバーを収容し、前記外側管腔が前記内側管腔及び前記光ファイバーに対して回転可能であるように、前記光ファイバーが前記内側管腔に固定される、請求項
９
　　【請求項１２】
　前記遠位側レンズが前記内視鏡デバイスの前記先端付近に位置し、前記近位側レンズが前記遠位側レンズに対して近位側に位置し、前記近位側レンズが、前記外側管腔を回転させる際に前記外側管腔に対して相対的に回転するように、前記内側管腔に固定される、請求項
９
　　【請求項１３】
　前記内視鏡デバイスが、前記外側管腔と前記内側管腔との間に形成され、それによって前記外側管腔と前記内側管腔との間の摩擦を低減する摩擦低減層を更に備え、摩擦が低減されることによって前記外側管腔が前記内側管腔に対して回転できるようにする、請求項
９
　　【請求項１４】
　前記内視鏡デバイスが、前記内側管腔に固定されると共に前記内側管腔内に位置する電気通信ハーネスを更に備え、前記電気通信ハーネスが前記画像センサに電気的に接続され、それによって前記画像センサに電力を提供し、前記電気通信ハーネスが前記外側管腔に対して回転可能である、請求項
９
　　【請求項１５】
　前記ハンドピースが焦点機構を備え、前記内側管腔が、焦点調節を可能にするため、前記ハンドピース内で前記焦点機構を介して軸方向で移動可能であり、前記焦点機構が、前記近位側レンズと前記遠位側レンズとの間の前記軸方向距離を制御し、前記焦点機構が前記内側管腔を前記軸方向でのみ動かし、回転は許可しない、請求項
１２
　　【請求項１６】
　前記内視鏡デバイスの前記外側管腔、前記遠位側レンズ、及び前記プリズムの回転によって、歪みのない広角視野の効果を作り出す、請求項
９
第５　引用文献、引用発明等
１　引用文献１
（１）引用文献１に記載された事項
　原査定の拒絶の理由で引用された本願の優先日前に頒布された又は電気通信回線を通じて公衆に利用可能となった引用文献である、米国特許第０５６２１８３０号明細書（以下「引用文献１」という。）には、図面とともに、次の記載がある。（下線は、当審が付与した。以下同様。）
（引１ａ）「Referring to FIG. 1, 
endoscope 10,
includes an elongated insertion tube 12 rotatably mounted to handle 14.
Actuator 16, which is also rotatably mounted to handle 14,
rotate insertion tube 12 about a longitudinal axis 18
　　External light source 1 provides the light used to illuminate areas A and B via a light cable connected to a proximal surface 5 of handle 14 at coupler 4. A first set 20 of optical fibers, extending through handle 14 from light coupler 4 to joint 30 (shown schematically), transmits light received from source 1 to a second set 40 of optical fibers, which meet optical fiber set 20 at joint 30. The optical fibers in set 40 extend from joint 30 through insertion tube 12 to distal viewing tip 41, to transmit light out distal viewing tip 41 to area A or area B.
　　The construction and operation of joint 30 are described in detail below. Suffice it here to say that joint 30 enables relative rotation between optical fiber sets 20, 40 about axis 18 when insertion member 12 is rotated with respect to handle 14 by actuator 16, while also providing efficient light transmission between them.
　　
Endoscope 10 has an off-axis direction of view
a direction of view oriented at a nonzero angle with respect to longitudinal axis 18.
The direction of view is determined by the orientation of a lens assembly 50
at distal viewing tip 41
　　Endoscope 10 illuminates (and views, as described below) area A when insertion tube is oriented as shown in FIG. 1. To illuminate and view another area, e.g., area B, a user rotates actuator 16, which rotates insertion tube 12 with respect to handle 14 about longitudinal axis 18, to orient distal viewing tip 41 to view area B along vector 21' (shown in dashed lines). Rotatable joint 30 allows set 20 of optical fibers and external cable 2 to remain stationary when insertion tube 12 is rotated. As a result, cable 2 does not become twisted or wound about handle 14 when insertion tube is rotated. This makes endoscope 10 easier to use and manipulate in the body. Moreover, the stresses imposed on optical fiber set 20 and cable 2 are significantly reduced, particularly at light coupler 4, which increases reliability and operating lifetime.
　　Referring to FIG. 2, 
light from objects
s collected by lens assembly 50 mounted in distal viewing tip and passed to a charge-coupled-device (CCD) 52
CCD 52 converts the light into electrical signals representing an image of the objects. The electrical signals are transmitted
to a camera control
The resultant image is displayed on display screen 8
内視鏡１０は、ハンドル１４に回転可能に取り付けた細長い挿入チューブ１２を含む
同じくハンドル１４に回転可能に取り付けられたアクチュエータ１６は、
長軸１８まわりに挿入チューブ１２を回転させる
　外部光源１は、カプラー４でハンドル１４の近位端５に接続した光ケーブルを通じて領域Ａ及びＢを照らすために使われる光を提供する。光カプラー４からジョイント３０（概略的に示す）にハンドル１４を通して延在する、光ファイバーの第一のセット２０が、ジョイント３０に光ファイバーのセット２０を接続した光ファイバーの第２のセット４０に光源１からの受光した光を伝える。セット４０内の光ファイバーは、領域Ａ又はＢに遠位観察端から光を放出するために、ジョイント３０から遠位観察端４１に挿入チューブ１２を通して延在する。
　ジョイント３０の構成及び動作は、以下に詳細に記載される。ここで十分にいえることは、ジョイント３０は、アクチュエータ１６によってハンドル１６に対して挿入部材１２が回転されることにより光ファイバー２０及び４０間の軸１８まわりの相対的な回転を可能にすることであり、これらの間の効率的な光の伝達を提供することもできる。
　
内視鏡１０は、
長軸１８に関してゼロ以外の角度に適応した視野の方向などの、軸外方向の視野を有
視野の方向は、遠位観察端４１でレンズ組立体５０
の方向によって決定され
　内視鏡１０は、（以下に説明するように）挿入チューブが図１に示されるような方向を向く場合において領域Ａを照らす。例えば、領域Ｂなどの他の領域を照らし観察するためにユーザーは、ベクトル２１‘（破線で示される）に沿って領域Ｂを観察するように遠位観察端４１を適用するために、長軸１８まわりにハンドル１４に対して挿入チューブを回転させるように、アクチュエータ１６を、回転させる。回転可能なジョイント３０は、挿入チューブ１２が回転するときに、光ファイバーのセット２０と外部ケーブル２が動かない状態でいることを可能にする。結果として、挿入チューブが回転する場合に、ケーブル２は、ハンドル１４によって、ねじれたり傷ついたりしない。これは、内視鏡１０を体内で使用したり操作したりすることを容易にする。さらに、光ファイバーのセット２０とケーブル２にかかるストレスを特に光カプラー４において劇的に軽減し、信頼性と操作性における寿命を増加させる。
　図２に示されるように、内視鏡１０によって照らされた
物体からの光は、遠位観察端に取り付けられたレンズ組立体５０によって収集されＣＣＤチューブ５４の遠位端でレンズ組立体の近位に支持された電荷結合素子（CCD）５２
に渡され
ＣＣＤ５２は光を物体の画像を表す電気信号に変換する
電気信号は、
処理する
カメラコントロールユニット６に伝達され
処理の結果のイメージは表示画面８
に表示される
（引１ｂ）「Referring to FIGS. 2, 6, and 8, 
insertion tube 12 includes inner tube 90 and outer tube 92
CCD tube 54 is disposed within inner tube 90
CCD tube 54, CCD 52, and lens assembly 50 are aligned along longitudinal axis 18.
　　
At distal viewing tip 41, window lens 94 of lens assembly 50 is oriented with respect to longitudinal axis 18 to determine the direction of view of endoscope 10 and could be recessed from the distal end of outer tube 92 to protect its exposed distal surface.
　　
Lens assembly 50
are
bonded within the distal end of outer tube 92 by
an epoxy.
　　The proximal end of outer tube 92 is inserted into an eccentric bore 98, aligned about longitudinal axis 88, within the distal end of rotating annulus outer ring 44. 
Outer tube 92 is attached to the distal end of outer ring 44 by
weld 86.
Inner tube 90 is attached to inner wall 99 of rotating annulus inner ring 43, by
an epoxy.
Actuator 16 is inserted onto the distal end of handle 14 over tubes 90, 92.
挿入チューブ１２は、内側管９０と外側管９２とを備え
CCDチューブ５４は内側管９０の中に配置され
CCDチューブ５４、CCD５２及びレンズ組立体５０は、長軸１８に沿って整列され
　
遠位観察端４１で、レンズ組立体５０の窓レンズ９４は、内視鏡１０の視野方向を決めるための長軸１８に対して方向付けられ、露出した遠位表面を保護するために外側管９２にはめ込まれ
　
レンズ組立体５０、
エポキシによって外側管９２の遠位端に接着され
　外側管９２の近位端は、回転する環状の外側リング４４の遠位端に長軸８８に整列して、偏心ボア９８の中に挿入される。
外側管９２は、
溶接点８６によって、外側リング４４の遠位端に取り付けられ
内側管９０は、
エポキシで、回転する環状の内側リング４３の内側壁９９に取り付けられ
アクチュエータ１６は、管９０及び９２を介して、ハンドル１４の遠位端に差し込まれ
（引１ｃ）「Referring as well to FIG. 9, 
the proximal end of actuator 16 includes tabs 108
which engage corresponding slots 110 
formed in rotating annulus outer ring 44.
when actuator 16 is rotated, tabs 108 engage slots 110 to rotate annulus outer ring 44, 
rotating inner ring 43,
 and tubes 90, 92 
 about longitudinal axis 18.
CCD tube 54, which is coupled to handle 14
including CCD 52 and its associated
optical systems, also remains stationary.．
アクチュエータ１６の近位端は、回転する環状の外側リング４４に形成されたスロット１１０
に対応して使用されるタブ１０８
を含む
アクチュエータ１６が回転するとタブ１０８は環状の外側リング４４を回転するためにスロット１１０を係合させ
内側リング４３
管９０，９２もまた長軸１８のまわりを回転する
ＣＣＤ５２及びその関連する
光学的システム含む
ハンドル１４に結合したＣＣＤチューブ５４もまた、動かないままである
（引1ｄ）「
　　　　　　　　　　　　　　　　　　　　　　　　　　　　　　　　」
（２）引用文献１に記載された発明
ア　上記（引１ｄ）より、「レンズ組立体５０」がレンズホルダを有し、レンズホルダ内にレンズ及びプリズムを有している点が見て取れる。
イ　上記アを踏まえると、上記（引１ａ）〜（引１ｄ）より引用文献１には、以下の発明（以下「引用発明」という。）が記載されている。
「ハンドル１４と、
　ハンドル１４に長軸１８まわりに回転可能に取り付けられ、内側管９０と外側管９２とを備えた、細長い挿入チューブ１２と、
　ハンドル１４に回転可能に取り付けられたアクチュエータ１６と、
　長軸１８に関してゼロ以外の角度に適応した視野の方向などの、軸外方向の視野を有する視野の方向を決定する、遠位観察端４１に、エポキシによって外側管９２の遠位端に接着されたレンズ組立体５０と、
　内側管９０の中に配置されたＣＣＤチューブ５４と、
　遠位観察端４１に取り付けられたレンズ組立体５０によって収集された物体からの光が渡され、光を物体の画像を表す電気信号に変換する、ＣＣＤチューブ５４の遠位端でレンズ組立体の近位に支持された電荷結合素子（ＣＣＤ）５２と、
　電気信号を処理するためのカメラコントロールユニット６と、
　処理の結果のイメージを表示する表示画面８とを含む内視鏡１０において、
　ＣＣＤチューブ５４、ＣＣＤ５２及びレンズ組立体５０は、長軸１８に沿って整列され、
　遠位観察端４１で、レンズ組立体５０の窓レンズ９４は、内視鏡１０の視野方向を決めるための長軸１８に対して方向付けられ、露出した遠位表面を保護するために外側管９２にはめ込まれ、
　外側管９２は、溶接点８６によって、外側リング４４の遠位端に取り付けられ、
　内側管９０は、エポキシで、回転する環状の内側リング４３の内側壁９９に取り付けられ、
　アクチュエータ１６は、管９０及び９２を介して、ハンドル１４の遠位端に差し込まれ、
　アクチュエータ１６の近位端は、回転する環状の外側リング４４に形成されたスロット１１０に対応して使用されるタブ１０８を含み、
　アクチュエータ１６が回転するとタブ１０８は環状の外側リング４４を回転するためにスロット１１０を係合させ、
　その結果、内側リング４３、管９０，９２もまた長軸１８のまわりを回転し、
　ＣＣＤ５２及びその関連する光学的システム含む、ハンドル１４に結合したＣＣＤチューブ５４は動かず、
　レンズ組立体５０がレンズホルダを有し、該レンズホルダ内にレンズ及びプリズムを有している
内視鏡１０。」
２　引用文献２
　原査定の拒絶の理由で引用された本願の優先日前に頒布された又は電気通信回線を通じて公衆に利用可能となった引用文献である、特開平０３−２４２５４８号公報（以下「引用文献２」という。）には、図面とともに、次の記載がある。
（引２ａ）「第３図は本発明の第２実施例に係わり、内視鏡先端部の断面図である。猶、第１実施例と同様の構成部材には同一符号を付して説明を省略する。
　本実施例の内視鏡先端部１０は円柱状の本体部１０ａとその先端が本体部１０ａよりも外径が小さい円柱状の溝部１０ｂとから成る形状を有している。この先端部１０には対物レンズ系２５，固体撮像素子３０，信号線３２が各々設けられている。それと共にステーター４３が上記溝部１０ｂに挿嵌されており上記本体部１０ａと溝部１０ｂとの接点部分において先端部１０に接合配設されている。更に上記溝部１０ｂの最先端外周面上にはスリップリング４８が外嵌されていて、信号線２１によって図示していない渦流探傷装置７と電気的に接続されている。
　この先端部１０には、光学アダプター１９が回動自在に設けられている。この光学アダプター１９の後端には、上記溝部１０ａが周動自在に嵌挿できる嵌合部１９ｂとそれ以外のアダプター本体１９ａとから構成されている。この嵌合部１９ｂの端面には上記ステーター４３と同形のローター４２が接合されている。その接合は、上記溝部１０ｂに上記嵌合部１９ｂを嵌挿させて各々接合されたステーター４３とローター４２とが互いに密着する形になっている。電極４９は、上記溝部１０ｂに設けられたスリップリング４８と対向するように上記嵌合部１９ｂの先端外周面上に埋設されている。更に電極４９は上記スリップリング４８と電気的接点を有している。上記アダプター本体１９ａ内には撮像光学系として上記嵌合部１９ｂ側から、対物レンズ系２５と光軸を一致して設けたアダプターレンズ５１と、三角プリズム５２と、カバーガラス５３が各々設けられている。上記三角プリズム５２は、上記アダプターレンズ５１と光軸を一致させると共に射出面を光軸に対して垂直に向け、入射面を光軸に対し平行に向け、斜面を光軸に対して４５度傾くように設けられており、上記斜面を全反射面５２ａと構成している。カバーガラス５３は、上記三角プリズム５２の射出面と対向するようにアダプター本体１９ａの外周面上に設けられている。更に上記アダプター本体１９ａの先端には照明光学系として光源５４と、照明用カバーガラス５５とを有している。上記光源５４は上記カバーガラスの有する光軸と同一方向に光軸を有している。上記照明用カバーガラス５５は上記光源５４から射出された光束が透過するように上記アダプター本体１９ａの外周面上に設けられている。また上記アダプター本体１９ａの後端で且つ上記照明用カバーガラス５５やカバーガラス５３と同一側の外周面上には渦流探傷プローブとしてプローブ形コイル４５が設けられており、上記嵌合部１９ｂに設けられた電極４９とは配線５０を持って電気的に接続されている。」（５頁左下欄６行〜６頁左上欄下から２行）
（引２ｂ）「第３図
　　　　　　　　　　　　　　　　　　　　　　　　　　　　　　　　　」
３　引用文献３
　原査定の拒絶の理由で引用された本願の優先日前に頒布された又は電気通信回線を通じて公衆に利用可能となった引用文献である、米国特許出願公開第２００６／００５８５８１号明細書（以下「引用文献３」という。）には、図面とともに、次の記載がある。
（引３ａ）「[0016]　FIG. 1 shows the distal end zone of the significant portions of a video endoscope 1. An objective lens fixture 3 is affixed in a tube 2 at the far distal end and holds a distally fixed portion 4 of the objective lens. In the shown embodiment, the distal objective lens portion 4 consists of a prism and two lens elements. A video camera 5 with an imaging detector plate 6 is affixed in an annular camera case 7 which, moreover, contains two lens elements 8a and 8b that constitute a proximal portion 8 of the objective lens.
[0017]　A rotating tube 9 constituting a rotating drive element is affixed to the camera case 7 and runs through the tube 2 as far as the proximal end zone ( FIG. 2 ) where it terminates at 10. Hookup cables 11 of the video camera 5 run through the rotating tube 9.
[0018]　 The camera case 7 is fitted with an external groove 12 by means of which it is guided in sliding manner in a ceramic ring 13 which, in turn, is affixed in the tube 2. The camera case 7 and, jointly with it, the video camera 5 rests in axially fixed manner by means of the external groove 12 on the ceramic ring 13, and therefore cannot move either distally or proximally. This design also radially supports the video camera 5 with respect to the tube 2. There is a given axial play, illustratively at least a few hundredths of a mm, between the external groove and the ceramic ring 13 to minimize friction.
[0019]　 The rotating tube 9 is supported merely radially by a slide ring 14. This design allows mutual axial shifting between the tubes 9 and 10.
[0020]　 The slide ring 14 is made of an insulating material, as is the ceramic ring 13, in order to electrically insulate the tubes 2 and 9 from each other. This feature safeguards the patient against electrical exposure or shock in the event the metallic camera case 7 or the metallic rotating tube 9 should make accidental contact with electrified parts of the video camera 5 or with the hookup cables 11.
［0021］　The rotating tube 9 is rotatable at its proximal end 10 by means of a rotation drive element. For that purpose, in the shown embodiment a permanent magnet 15 is affixed to the proximal end of the rotating tube 9 and can be rotated using a permanent magnet 16 configured outside the video endoscope, with the latter permanent magnet 16 illustratively being configured on the outside of the video endoscope 1 to a rotation ring (not shown). To implement such a design, the material of the tube 2 must be sufficiently magnetically permeable and may be, for instance, made of a high-grade steel.
[0022]　 The two portions 4 and 8 of the objective lens are designed such that in-between them (i.e., between the proximal end lens element of the distal objective lens portion 4 and the distal end lens element 8a of the proximal objective portion 8), the beam shall be as collimated as possible to preclude relative shifts between the two objective lens portions. Such relative shifts could be caused, for instance, by adjustment errors, plays or other mechanical deviations, which in this design shall not significantly degrade the endoscope imaging properties.
[0023]　 An external tube (not shown) encloses the tube 2 and is hermetically sealed distally by a window in front of the objective lens 4, which, in this instance, is configured obliquely, to protect the objective lens 4, 8 and the camera 5 against otherwise penetrating water vapor. Moreover, in conventional manner, a light guide, for instance in the form of a fiber optics and used for illumination, may be mounted outside the above mentioned external tube, and, together with the shown video endoscope 1, it may once more be received in an outermost enclosing tube.
[0024]　 In the embodiment shown herein, the objective lens 4, 8 using the shown prism, does look obliquely forward. In other embodiments, however, the objective lens 4, 8 may also be designed to be straight forward looking.
[0025]　 The objective lens 4, 8 is shown in the embodiment herein as being in two portions. However, the object lens 4, 8 may also be in one portion and fixed in position, with the proximal objective lens portion 8 being eliminated and the distal objective lens portion 4 being configured in a different lens element array and closer to the video camera 5.
[0026]　 Also, the camera case 7 may be other than shown herein. For instance, the camera case may be integral with the rotating tube 9. In particular with respect to assembly procedures, the camera case may also be disassemblable into components.」（当審訳：「［００１６］図1は、ビデオ内視鏡の重要な部分の遠位端領域を示す。対物レンズ固定具３は、最遠位端でチューブ２に固定され、遠位側で対物レンズの固定部分４を保持する。実施例において、遠位側の対物レンズ部分４は、プリズムと２つのレンズからなる。画像形成素子６を有するビデオカメラ５は、対物レンズの近位部分８を構成する２つのレンズ要素８ａ及び８ｂをさらに含む環状のカメラケース７に固定される。
［００１７］回転駆動要素を構成する回転チューブ９は、カメラケース７に固定され、１０で終端する近位領域（図２）までチューブ２を通して動く。ビデオカメラ５のＨｏｏｋｕｐケーブル１１は、回転チューブ９を通して動く。
［００１８］カメラケース７は、チューブ２に固定されたセラミックリング１３によって、カメラケース７を摺動するようにガイドする外部溝１２を有する。カメラケース７とそれと協働するビデオカメラ７は、セラミックリング１３上の外部溝１２を使って安定した方法で軸方向に留め、そのことにより遠位及び近位のどちらにも動くことができない。この構成は、チューブ２に対してビデオカメラ５を、周方向にも支持する。摩擦を最小とするために、外部溝とセラミックリング１３との間には、実際には少なくとも数百ｍｍの所定の軸方向の遊びがある。
［００１９］回転筒９は、スライドリング１４により径方向に支持されている。この構成は、チューブ９及び１０の間の相互の軸方向移動を可能にする。
［００２０］スライドリング１４は、セラミックリング１３と同様に、チューブ２及び９を互いに電気的に絶縁するために絶縁材料で作られる。この特徴は、金属のカメラケース７や金属の回転チューブ９がビデオカメラ５の帯電部分やＨｏｏｋｕｐケーブル１１に偶発的に接触してしまった場合の、電気への接触やショックから患者を保護する。
［００２１］回転チューブ９は、回転駆動素子によって近位端１０で回転可能である。その目的のために、本実施例においては、永久磁石１５は、回転チューブ９の近位端に固定され、ビデオ内視鏡の外側に配置された永久磁石１６によって回転させることができる。そして、後者の永久磁石１６は、ビデオ内視鏡１の外側で回転リング（図示せず）に、配置することで実施される。このような構成を実施するために、チューブ２の材料は、十分に磁界を透過するものでなければならず、例えば、高品位の鋼で作成されても良い。
［００２２］対物レンズの２つの部分４及び８は、それらの間（例えば、遠位対物レンズ部分４の近単レンズ要素と近位端対物部分８の遠位端レンズ要素８ａとの間）においては、２つの対物レンズ部分の間の相対的なズレを防止するために可能な限り平行にするという関係であるように設定される。そのような相対的なズレは、例えば、調整エラー、遊び又はその他の機械的な逸脱が原因で生じるが、本構成において、内視鏡の画像特性を大幅に劣化させるべきではない。
［００２３］外部チューブ（図示せず）は、チューブ２を囲み、他の浸透する水蒸気から対物レンズ４、８及びカメラ５を保護するために、この場合、斜めに設定された対物レンズ４の前の窓によって、端面を気密に密封する。さらに、従来の方法においては、ライトガイドは、例えばファイバー光学系の構成や照明の使用において、上記外部チューブの外側に取り付けられ、示されたビデオ内視鏡と共に、ライトガイドは、最該包囲チューブに複数受け入れられる。
［００２４］ここで示される実施例において、プリズムを使用した対物レンズ４及び８は、斜め前方を見る。しかしながら、他の実施例では、対物レンズ４及び８は、真っすぐ前方を見るように設定されてもより。
［００２５］対物レンズ４及び８は、ここにおいて２箇所で示されるような実施例において見られる。しかしながら、近位対物レンズ部分８が除去され、遠位対物レンズ部分４が、ビデオカメラ５により近くの異なるレンズ要素の配列に配置することで、対物レンズ４及び８は、１つの部分であっても、所定の場所に固定される。
［００２６］また、カメラケース７は、本明細書に示す以外であってもよい。例えば、カメラケースは回転チューブ９と一体であってもよい。特にアセンブリ手順に関して、カメラケースはまた、コンポーネントに分解することもできる。」）
（引３ｂ）「
　　　　　　　　　　　　　　　　　　　　　　　　　　　　　　　　」
４　引用文献４
　原査定の拒絶の理由で引用された本願の優先日前に頒布された又は電気通信回線を通じて公衆に利用可能となった引用文献である、国際公開第２０１３／００７３５６号（以下「引用文献４」という。）には、図面とともに、次の記載がある。なお、以下の日本語訳による摘記は、引用文献４に対応する日本語出願の公表公報である特表２０１４−５２３３２４号公報の記載に基づくものであり、その段落番号も便宜上そのまま記載した。
（引４ａ）「【０００５】
　先行技術では、軸方向遊びがないことは、ばね、たとえば内視鏡のハンドル領域内に配置された渦巻ばねによって軸受に予張力を付与することによって生成される。
　文献ＥＰ  １  ７８７  ５７０  Ｂ１に係るビデオ内視鏡の場合、ハンドル内に配置されたラジアルに作用する軸受が存在する。２つの遠位光学コンポーネント組立体の間に配置されたラジアル軸受とアキシャル軸受との双方が存在する。軸方向力は、ハンドル内のばねによってこの軸受に加えられる。トルクおよび軸方向力は共に、２つの管を使用して伝達され、２つの管のそれぞれに、光学コンポーネント組立体が取り付けられる。こうして、遠位に配設されたアキシャル軸受は、ハンドル領域内に設置されたばねに起因して軸方向遊びがない状態に保持される。」
（引４ｂ）「【００２４】
　ハンドル３は、回転リング４を有し、回転リング４によって、内側管７に接続される棒磁石５を使用して、内側管７が外側管６に関して回転して、内視鏡１の視野角を変更し得る。内側管７は、ラジアル軸受８によってハンドル３内に追加的に搭載される。さらに、ハンドル３は、圧縮ばね９で構成される予張力付与デバイスを備え、圧縮ばね９は、圧縮ばね９用の停止部１０に関して予張力を付与される。圧縮ばね９は、シャフト２の遠位端１１に向かう軸方向に、内側管７が、押される、またはそれぞれ、予張力を付与されることを保証する。シャフト２は、遠位端１１において、斜めに観察する窓１２を有する。窓１２の背後には、レンズおよびプリズムを有する光学コンポーネント組立体１３が存在し、光学コンポーネント組立体１３によって、窓１２を通して入る光が、シャフト２の長手軸に平行な方向に転換される。光学コンポーネント組立体１３は、外側管６に接続される保持器１４によって保持される。窓１２はまた、光学コンポーネント組立体１３の一部である。
【００２５】
　第２の光学コンポーネント組立体１６は、この場合、画像センサユニット１９で終わるが、第１の光学コンポーネント組立体１３に取り付けられる。第２の光学コンポーネント組立体１６は、保持器１７内で保持され、保持器１７は、内側管７に関して回転または移動も実行するように、内側管７に接続される。シャフト２の遠位端１１の領域内の内側管７は、ラジアル軸受１８によって外側管６に関してラジアルに搭載される。」
第６　対比・判断
１　本願発明１について
（１）対比
ア　本願発明１と引用発明とを対比する。
（ア）引用発明の「内視鏡１０」、「電荷結合素子（CCD）５２」、「ＣＣＤチューブ５４」、「内側管９０と外側管９２」、「ハンドル１４」及び「遠位観察端４１」は、それぞれ、本願発明１の「内視鏡デバイス」、「画像センサ」、「内側管腔」、「外側管腔」、「ハンドピース」及び「先端」に相当する。そして、引用発明の「電荷結合素子（CCD）５２」、「ＣＣＤチューブ５４」、「内側管９０と外側管９２」、「アクチュエータ１６」及び「遠位観察端４１」は、全て「内視鏡１０」が備えているものである。
（イ）引用発明の「内視鏡１０」が近位側部分と遠位側部分を有し、「遠位観察端４１」は遠位側部分に備えられていることは明らかである。
（ウ）引用発明の「電荷結合素子（ＣＣＤ）５２」は、「ＣＣＤチューブ５４の遠位端でレンズ組立体の近位に支持された」ものであるから、「内視鏡１０」の先端付近の遠位側部分内に位置しているといえ、また、引用発明の「電荷結合素子（ＣＣＤ）５２」は、「光を物体の画像を表す電気信号に変換する」ものであるから、引用発明の「光を物体の画像を表す電気信号に変換する、ＣＣＤチューブ５４の遠位端でレンズ組立体の近位に支持された電荷結合素子（ＣＣＤ）５２」は、本願発明の「前記内視鏡デバイスの前記先端付近で前記遠位側部分内に位置する、あるエリアの視覚化を提供する画像センサ」に相当する。
（エ）以上（ア）〜（ウ）より、引用発明の「内視鏡１０」と、本願発明１の「内視鏡デバイス」とは、「近位側部分、及び先端を備える遠位側部分と、前記内視鏡デバイスの前記先端付近で前記遠位側部分内に位置する、あるエリアの視覚化を提供する画像センサと、内側管腔と、外側管腔と、ハンドピースと、を備え」ている点で一致する。
（オ）引用発明の「長軸１８」は、本願発明１の「内視鏡デバイスの軸」に相当する。そして、引用発明の「電荷結合素子（ＣＣＤ）５２」は「ＣＣＤチューブ５４の遠位端」「に支持され」、「ＣＣＤチューブ５４」は「ハンドル１４に結合し」ており、「内側管９０と外側管９２」が「長軸１８のまわりを回転し」ている場合において、「ＣＣＤ５２及び」「ＣＣＤチューブ５４は動かない」ことから、引用発明の「内視鏡１０」と本願発明１の「内視鏡デバイス」とは、「前記画像センサ及び前記内側管腔が前記ハンドピースに対して固定され、前記外側管腔が前記内視鏡デバイスの軸を中心にして、かつ前記画像センサ及び前記内側管腔に対して回転可能であ」る点で一致する。
（カ）引用発明の「レンズ組立体５０」は、「プリズム及びレンズを有している」。そして、引用発明の「レンズ組立体５０」が回転しても「電荷結合素子（ＣＣＤ）５２」が固定されていれば、「表示画面８」に表示される「物体の画像」の配向が一定のままであることは明らかであって、「内側管９０と外側管９２」が「長軸１８のまわりを回転し」ている場合において、「ＣＣＤ５２及び」「ＣＣＤチューブ５４は動かない」ことから、「エポキシによって外側管９２の遠位端に接着されたレンズ組立体５０」が有する「プリズム及びレンズ」は、「ＣＣＤ５２」に対して回転可能であるといえる。
　そうすると、引用発明の「遠位観察端４１に、エポキシによって外側管９２の遠位端に接着されたレンズ組立体５０」が有する「プリズム及びレンズ」は、本願発明１の「前記内視鏡デバイスの前記先端付近に位置」し、「視角を変化させる際に画像の配向が一定のままであるように」、「前記外側管腔に固定されると共に、前記内側管腔及び前記画像センサに対して回転可能であ」る「プリズム及び遠位側レンズ」に相当する。
（キ）引用発明の「レンズ組立体５０」は「レンズホルダを有し」ており、この「レンズホルダ」は、本願発明１の「遠位側レンズホルダ」に相当する。また、引用発明は、「内側管９０と外側管９２」が「長軸１８のまわりを回転し」ている場合において、「ＣＣＤ５２及び」「ＣＣＤチューブ５４は動か」ないことから、「エポキシによって外側管９２の遠位端に接着されたレンズ組立体５０」が有する「レンズホルダ」は、「ＣＣＤ５２」に対して回転可能であるといえる。
　そうすると、引用発明の「内視鏡１０」と本願発明１の「内視鏡デバイス」とは、「前記内視鏡デバイスが」、「遠位側レンズホルダを更に備え、前記遠位側レンズホルダが、前記外側管腔に固定されると共に、前記内側管腔及び前記画像センサに対して回転可能であ」る点で共通する。
（ク）引用発明の「ＣＣＤ５２」の「関連する光学的システム」は、通常、対物レンズなどのレンズであって、レンズホルダによって取り付けられるものであるから、本願発明１の「近位側レンズ、及び、近位側レンズホルダ」に相当する。そして、引用発明の「ＣＣＤ５２」の「関連する光学的システム」は、「ハンドル１４に結合したＣＣＤチューブ５４」に含まれることから、引用発明の「ＣＣＤ５２」の「関連する光学的システム」は、「ＣＣＤチューブ５４」に固定されているといえる。また、引用発明は、「内側管９０と外側管９２」が「長軸１８のまわりを回転し」ている場合において、「ＣＣＤ５２」の「関連する光学的システム」「は動か」ないことから、「ＣＣＤ５２」の「関連する光学的システム」は、「内側管９０と外側管９２」に対して相対的回転しているといえる。
　そうすると、引用発明の「内視鏡１０」と本願発明１の「内視鏡デバイス」とは、「前記内視鏡デバイスが、近位側レンズ、及び、近位側レンズホルダを更に備え」、「前記近位側レンズホルダが、前記内側管腔に固定されると共に、前記外側管腔を回転させる際に前記外側管腔に対して相対的に回転し」ている点で共通する。
（ケ）引用発明の「外側管９２は、溶接点８６によって、外側リング４４の遠位端に取り付けられ、内側管９０は、エポキシで、回転する環状の内側リング４３の内側壁９９に取り付けられ、アクチュエータ１６は、管９０及び９２を介して、ハンドル１４の遠位端に差し込まれ」ているから、引用発明の「内視鏡１０」が「内側管９０と外側管９２」と、機械的に連絡しているといえる。
　また、引用発明の「レンズ組立体５０の窓レンズ９４は」、「遠位観察端４１で」、「内視鏡１０の視野方向を決めるための長軸１８に対して方向付けられ、露出した遠位表面を保護するために外側管９２にはめ込まれ」たものであるから、本願発明１の「前記内視鏡デバイスの前記先端に位置し、前記外側管腔の最遠位端に連結された外側窓」に相当する。
　そして、引用発明は、「内側管９０と外側管９２」が「長軸１８のまわりを回転し」ている場合において、「ＣＣＤ５２及び」「ＣＣＤチューブ５４は動か」ないことから、「エポキシによって外側管９２の遠位端に接着されたレンズ組立体５０」の「窓レンズ９４」は、「ＣＣＤ５２及び」「ＣＣＤチューブ５４」に対して回転しているといえる。
　すると、引用発明の「内視鏡１０」と本願発明１の「内視鏡デバイス」とは、「前記内視鏡デバイスが、前記外側管腔と機械的に連絡しており、前記内視鏡デバイスの前記先端に位置し、前記外側管腔の最遠位端に連結された外側窓を更に備え、前記外側窓が前記内側管腔及び前記画像センサに対して回転し」ている点で一致する。
（コ）引用発明の引用発明の「レンズ組立体５０の窓レンズ９４は」、「遠位観察端４１で」、「内視鏡１０の視野方向を決めるための長軸１８に対して方向付けられ、露出した遠位表面を保護するために外側管９２にはめ込まれ」たものであって、「レンズ組立体５０」は、「長軸１８に関してゼロ以外の角度に適応した視野の方向などの、軸外方向の視野を有する視野の方向を決定する」ものであるから、「レンズ組立体５０」の遠位面は、「長軸１８に対してゼロ以外の角度に適応した視野の方向」に延在し、「窓レンズ９４」の遠位面は、「レンズ組立体５０」の遠位面でもあるから、「窓レンズ９４」の遠位面は、「レンズ組立体５０」の遠位面が延在する、「長軸１８に対してゼロ以外の角度に適応した視野の方向」と同じ方向に延在しているといえる。
　そうすると、引用発明の「内視鏡１０」と本願発明１の「内視鏡デバイス」とは、「前記プリズム及び前記遠位側レンズの遠位面は、前記内視鏡デバイスの前記軸に対して所定角度をもって延在し、前記外側窓の遠位面は、前記プリズム及び前記遠位側レンズの前記遠位面が延在する前記所定角度と略同一の角度をもって延在して」いる点で一致する。
イ　以上のことから、本願発明と引用発明との一致点及び相違点は、次のとおりである。
（一致点）
「　内視鏡デバイスであって、
　近位側部分、及び先端を備える遠位側部分と、
　前記内視鏡デバイスの前記先端付近で前記遠位側部分内に位置する、あるエリアの視覚化を提供する画像センサと、
　内側管腔と、
　外側管腔と、
　ハンドピースと、を備え、
　前記画像センサ及び前記内側管腔が前記ハンドピースに対して固定され、前記外側管腔が前記内視鏡デバイスの軸を中心にして、かつ前記画像センサ及び前記内側管腔に対して回転可能であり、
　前記内視鏡デバイスが、前記内視鏡デバイスの前記先端付近に位置するプリズム及び遠位側レンズを更に備え、視角を変化させる際に画像の配向が一定のままであるように、前記プリズム及び前記遠位側レンズが、前記外側管腔に固定されると共に、前記内側管腔及び前記画像センサに対して回転可能であり、
　前記内視鏡デバイスが、遠位側レンズホルダを更に備え、前記遠位側レンズホルダが、前記外側管腔に固定されると共に、前記内側管腔及び前記画像センサに対して回転可能であり、
　前記内視鏡デバイスが、近位側レンズ、及び、近位側レンズホルダを更に備え、前記近位側レンズホルダが、前記内側管腔に固定されると共に、前記外側管腔を回転させる際に前記外側管腔に対して相対的に回転し、
　前記内視鏡デバイスが、前記外側管腔と機械的に連絡しており、前記内視鏡デバイスの前記先端に位置し、前記外側管腔の最遠位端に連結された外側窓を更に備え、前記外側窓が前記内側管腔及び前記画像センサに対して回転し、
　前記プリズム及び前記遠位側レンズの遠位面は、前記内視鏡デバイスの前記軸に対して所定角度をもって延在し、前記外側窓の遠位面は、前記プリズム及び前記遠位側レンズの前記遠位面が延在する前記所定角度と略同一の角度をもって延在している、
内視鏡デバイス。」
（相違点１）遠位側レンズホルダ及び近位側レンズホルダが、本願発明１は、「遠位側レンズホルダ」が、「前記プリズム及び前記遠位側レンズを前記内視鏡デバイスの前記先端内で位置合わせするためのガイドを備え」、「前記近位側レンズホルダが、前記近位側レンズホルダの遠位端に形成される内側ガイド壁と、前記近位側レンズホルダの近位端に形成される外側ガイド壁とを備え、前記近位側レンズホルダが、前記近位側レンズを前記遠位側レンズに対して位置合わせするためのハウジング及びガイドとして作用し」、「前記遠位側レンズホルダが前記近位側レンズホルダに対して回転可能であるように、前記近位側レンズホルダの前記内側ガイド壁が、前記遠位側レンズホルダの前記ガイドを係合し、前記近位側レンズホルダの前記内側ガイド壁の外径は、前記近位側レンズホルダの前記外側ガイド壁の外径よりも小さく、前記近位側レンズホルダの前記内側ガイド壁の外周面に前記遠位側レンズホルダの近位端の内周面が嵌っており、前記近位側レンズホルダおよび前記遠位側レンズホルダは前記外側管腔内に挿入されて」いるのに対し、引用発明はそのような特定がない点。
（相違点２）本願発明１は、「前記外側管腔が前記ハンドピースと機械的に連絡しており、前記外側管腔が前記ハンドピースとの接合部でばね荷重されて、前記遠位側レンズホルダと前記近位側レンズホルダとの間に一貫した接触を提供することによって、前記近位側レンズ及び前記遠位側レンズ内で一貫した軸方向距離を確保すると共に、前記外側管腔が回転している間の焦点を保持し」ているのに対し、引用発明はそのような特定がない点。
（相違点３）外側窓が、本願発明１は、「前記内視鏡デバイスの前記軸と垂直方向における前記外側窓の長さは、前記内視鏡デバイスの前記軸と前記垂直方向における前記プリズム及び前記遠位側レンズの長さよりも大きい」ものであるのに対し、引用発明の「窓レンズ９４」の長さと、「レンズ組立体５０」のプリズム及び遠位側レンズの長さとの大小関係が不明である点。
（２）相違点についての判断
　上記相違点１について検討する。
　引用発明の「ＣＣＤチューブ５４、ＣＣＤ５２及びレンズ組立体５０は、長軸１８に沿って整列され」ているこから、引用発明の「ＣＣＤ５２及びその関連する光学的システム含む」「ＣＣＤチューブ５４」と「レンズ組立体５０」とは、何らかの位置決め方法で既に位置決めされていることは明らかである。そうすると、引用発明の「ＣＣＤ５２」の「関連する光学的システム」と「レンズ組立体５０」との間も「長軸１８」に対して位置決めされているから、引用発明の「ＣＣＤ５２」の「関連する光学的システム」と「レンズ組立体５０」との間に、レンズホルダを使用した位置決め方法をさらに適用する動機付けがあるとはいえないから、本願発明１は、引用発明から当業者が容易に想到できたものであるとはいえない。
　そして、引用文献２〜４においても、相対的に回転するレンズ間を、レンズホルダを使用して位置決めする構成は記載も示唆もされていないから、本願発明１の上記相違点１に係る特定事項は、引用文献２〜４に記載された技術事項からも、当業者が容易に想到できたものであるとはいえない。
　したがって、他の相違点について判断するまでもなく、本願発明１は、当業者であっても引用発明及び引用文献２〜４に記載された技術的事項に基づいて容易に発明できたものであるとはいえない。
２　本願発明２〜８について
　本願発明２〜８も、本願発明１の「遠位側レンズホルダ」が、「前記プリズム及び前記遠位側レンズを前記内視鏡デバイスの前記先端内で位置合わせするためのガイドを備え」、「前記近位側レンズホルダが、前記近位側レンズホルダの遠位端に形成される内側ガイド壁と、前記近位側レンズホルダの近位端に形成される外側ガイド壁とを備え、前記近位側レンズホルダが、前記近位側レンズを前記遠位側レンズに対して位置合わせするためのハウジング及びガイドとして作用し」、「前記遠位側レンズホルダが前記近位側レンズホルダに対して回転可能であるように、前記近位側レンズホルダの前記内側ガイド壁が、前記遠位側レンズホルダの前記ガイドを係合し、前記近位側レンズホルダの前記内側ガイド壁の外径は、前記近位側レンズホルダの前記外側ガイド壁の外径よりも小さく、前記近位側レンズホルダの前記内側ガイド壁の外周面に前記遠位側レンズホルダの近位端の内周面が嵌っており、前記近位側レンズホルダおよび前記遠位側レンズホルダは前記外側管腔内に挿入されて」いる構成と同一の構成を備えるものであるから、本願発明１と同じ理由により、当業者であっても、引用発明及び引用文献２〜４に記載された技術的事項に基づいて容易に発明できたものとはいえない。
３　本願発明９〜１６について
　本願発明９〜１６は、本願発明１〜８に対応するシステムの発明であり、本願発明１の「遠位側レンズホルダ」が、「前記プリズム及び前記遠位側レンズを前記内視鏡デバイスの前記先端内で位置合わせするためのガイドを備え」、「前記近位側レンズホルダが、前記近位側レンズホルダの遠位端に形成される内側ガイド壁と、前記近位側レンズホルダの近位端に形成される外側ガイド壁とを備え、前記近位側レンズホルダが、前記近位側レンズを前記遠位側レンズに対して位置合わせするためのハウジング及びガイドとして作用し」、「前記遠位側レンズホルダが前記近位側レンズホルダに対して回転可能であるように、前記近位側レンズホルダの前記内側ガイド壁が、前記遠位側レンズホルダの前記ガイドを係合し、前記近位側レンズホルダの前記内側ガイド壁の外径は、前記近位側レンズホルダの前記外側ガイド壁の外径よりも小さく、前記近位側レンズホルダの前記内側ガイド壁の外周面に前記遠位側レンズホルダの近位端の内周面が嵌っており、前記近位側レンズホルダおよび前記遠位側レンズホルダは前記外側管腔内に挿入されて」いる構成に対応する構成を備えるものであるから、本願発明１と同様の理由により、当業者であっても、引用発明及び引用文献２〜４に記載された技術的事項に基づいて容易に発明できたものとはいえない。
第７　原査定について
　本願発明１〜１６は、上記第６で検討したとおり「遠位側レンズホルダ」が、「前記プリズム及び前記遠位側レンズを前記内視鏡デバイスの前記先端内で位置合わせするためのガイドを備え」、「前記近位側レンズホルダが、前記近位側レンズホルダの遠位端に形成される内側ガイド壁と、前記近位側レンズホルダの近位端に形成される外側ガイド壁とを備え、前記近位側レンズホルダが、前記近位側レンズを前記遠位側レンズに対して位置合わせするためのハウジング及びガイドとして作用し」、「前記遠位側レンズホルダが前記近位側レンズホルダに対して回転可能であるように、前記近位側レンズホルダの前記内側ガイド壁が、前記遠位側レンズホルダの前記ガイドを係合し、前記近位側レンズホルダの前記内側ガイド壁の外径は、前記近位側レンズホルダの前記外側ガイド壁の外径よりも小さく、前記近位側レンズホルダの前記内側ガイド壁の外周面に前記遠位側レンズホルダの近位端の内周面が嵌っており、前記近位側レンズホルダおよび前記遠位側レンズホルダは前記外側管腔内に挿入されて」いるという事項を有しているから、当業者であっても、拒絶査定において引用された引用文献１〜４に基づいて、容易に発明できたものとはいえない。
　したがって、原査定の理由を維持することはできない。
第８　むすび
　以上のとおり、原査定の理由によっては、本願を拒絶することはできない。
　また、他に本願を拒絶すべき理由を発見しない。
　よって、結論のとおり審決する。